(57)【要約】【課題】薬液内に気泡が混入するのを防止することが可能なシリンジを提供する。【解決手段】シリンジ１は、円筒状のシリンダ５と、該シリンダ内にスライド自在に挿入されたプランジャ１０と、プランジャの外周に形成された角溝１７に嵌められた、シール部材としての弾性リング２５とを備えている。弾性リング２５の断面形状は、角溝に嵌まる矩形の内側部分と、内側部分から外側に突出する略半円形の外側部分とを含んでいる。【選択図】図２
2010063713.tif 000002
【特許請求の範囲】
【請求項１】
円筒状のシリンダと、
該シリンダ内にスライド自在に挿入されたプランジャと、
前記プランジャの外周に形成された角溝に嵌められた、前記プランジャと前記シリンダとの間をシールする弾性リングと、を備えるシリンジであって、
前記弾性リングの断面形状が、前記角溝に嵌まる矩形の内側部分と、該内側部分から外側に突出する略半円形の外側部分とを含んでいるシリンジ。
【請求項２】
前記シリンダ内で前記プランジャを引くことにより前記シリンダ内に薬液を吸引して使用される、請求項１に記載のシリンジ。
【請求項３】
前記プランジャの背面には、該プランジャをスライドさせるためのロッドが接続される係止部が形成されている、請求項１または２に記載のシリンジ。
【発明の詳細な説明】
【技術分野】
【０００１】
本発明は、例えば造影剤等を患者に注入するためのシリンジに関し、特に、薬液内に気泡が混入するのを防止することが可能なシリンジに関する。
【背景技術】
【０００２】
従来、医療用の透視撮像装置としては、ＣＴ（Computed Tomography）スキャナ、ＭＲＩ（Magnetic Resonance Imaging）装置、ＰＥＴ（Positron
Emission Tomography）装置、超音波診断装置、ＣＴアンギオ装置、ＭＲアンギオ装置等がある。
このような装置を使用する場合、例えば鮮明な画像を得ることなどを目的として患者の体内に造影剤や生理食塩水などが注入されることがある。
【０００３】
特許文献１には、シリンジ内に薬液を吸引して使用するタイプのシリンジに関し、Ｏリングを利用してプランジャとシリンダとの間をシールする技術が開示されている。
【特許文献１】特表２００２−５０５１６１号公報
【発明の開示】
【発明が解決しようとする課題】
【０００４】
ところで、従来の構成では、プランジャを引いてシリンジ内に薬液を吸引する際に、プランジャの溝とＯリングとの間の微小な隙間から空気が引き込まれ、薬液内（シリンダ内）に気泡が混入することがあった。
本発明は上記課題に鑑みてなされたものであり、その目的は、薬液内に気泡が混入するのを防止することが可能なシリンジを提供することにある。
【課題を解決するための手段】
【０００５】
上記目的を達成するため、本発明のシリンジは、
円筒状のシリンダと、
該シリンダ内にスライド自在に挿入されたプランジャと、
前記プランジャの外周に形成された角溝に嵌められた、前記プランジャと前記シリンダとの間をシールする弾性リングと、を備えるシリンジであって、
前記弾性リングの断面形状が、前記角溝に嵌まる矩形の内側部分と、該内側部分から外側に突出する略半円形の外側部分と、を含んでいる。
【０００６】
ここで、「角溝に嵌まる」とは、リングの内側部分が隙間を生じることなく角溝に嵌まることをいう。
【０００７】
本発明のシリンジでは、弾性リングの内側部分が隙間を生じることなくプランジャの角溝に嵌まり、角溝内に空気が抱き込まれていないため、プランジャを引いてシリンジ内に薬液を吸引する際の薬液内への気泡の混入が防止される。
【発明の効果】
【０００８】
上述したように、本発明によれば、プランジャの角溝に嵌まる矩形の内側部分と、該内側部分から外側に突出する略半円形の外側部分と、を含む断面形状の弾性リングを利用したことにより、薬液内に気泡が混入するのを防止することが可能となる。
【発明を実施するための最良の形態】
【０００９】
以下、図面を参照して本発明の実施の一形態を説明する。
（第１の実施形態）
図１は、本発明の一実施形態のシリンジを示す図である。なお、以下の説明では、図面の記載に合わせて、「上下」、「左右」といった方向を示す語句を用いるが、これらは本発明を何ら限定するものではない。
【００１０】
図１に示すように、本実施形態のシリンジ１は、円筒状のシリンダ５と、その内孔内にスライド自在に挿入されたプランジャ１０と、を備えている。
シリンダ５は、従来一般的な形状であり、直管状の円筒部５ａと、その先端に形成されたノズル部５ｂと、を有している。
【００１１】
プランジャ１０は、その先端側が円錐形となっている（円錐部１５）。プランジャ１０の背面には、該プランジャ１０を進退移動させるためのロッド（不図示）が接続される係止部１２が形成されている。係止部１２は、背面方向に延び出した短い軸１２ａと、その軸１２ａの端部に形成されたフランジ１２ｂと、を有している。ロッド（不図示）は、図示しない駆動手段により軸方向に動かされ、これにより、プランジャ１０がシリンダ５内をスライドする。
【００１２】
図２に示すように、プランジャ１０の外周には環状の角溝１７が形成されている。図３にも示すように、この角溝１７には弾性リング２５が嵌められている。
【００１３】
弾性リング２５はシール部材であり、例えばシリコーンゴム製である。図３に示すように、このリング２５は具体的にはかまぼこ型の断面形状を有し、角溝１７内に嵌まる矩形の内側部分２５ｂと、その内側部分２５ｂから外側に突出した略半円形の外側部分２５ａと、を有している。外側部分２５の外周面は円弧状にカーブしており、プランジャ１０の外周面よりも外側に突出している。
【００１４】
図３に示すように、リング２５の内側部分２５ｂの両側面及び内周面はそれぞれ、角溝１７の両側面及び内底面に密着している。すなわち、この例では、弾性リング２５と角溝１７との間に隙間が生じていない。一方、図４は、角溝１７に断面円形のＯリング２３を嵌めた状態を示す図であるが、この場合、Ｏリング２３と角溝１７との間には微小な隙間３１が生じる。
【００１５】
プランジャ１０がシリンダ５内に挿入された状態では（図２参照）、弾性リング２５が径方向に押し潰され、同リング２５の外周部がシリンダの内孔内周面に押し付けられる。これにより、プランジャ１０とシリンダ５との間がシールされる。
【００１６】
上記のように構成された本実施形態のシリンジ１は、一例として、次のように使用される。
まず、シリンジ１内に薬液を吸引するために、シリンダ５のノズル部５ｂにチューブ（不図示）が接続される。このチューブの他端は、例えば、薬液を収容した貯留容器に接続される。
【００１７】
プランジャ１０背面の係止部１２には、同プランジャを動かすためのロッド（不図示）が接続される。このロッドを移動させ、プランジャ１０をシリンダ５の奥から手前へと引くことによって、シリンダ５内に薬液が吸引される。
【００１８】
本実施形態の構成によれば、弾性リング２５の内側部分２５ｂが隙間を生じることなくプランジャの角溝１７に嵌まっており、角溝１７内に空気が抱き込まれていないため（隙間３１）、プランジャ１０を引いてシリンジ１内に薬液を吸引する際に薬液内に気泡が引き込まれることを防止することができる。
【００１９】
従来のＯリング２３では（図４参照）、溝１７内の隙間３１に抱き込まれた空気が薬液内に混入する（シリンダの内周面に気泡が付着する）場合があったが、本実施形態の構成によればそうした気泡の混入が起こりにくい。したがって、注入前に、シリンジを叩くなどしてシリンダ５の内周面に付着した気泡を取り除く作業も不要となる。
【００２０】
また、本実施形態のような断面形状がかまぼこ型の弾性リング２５の場合（すなわち、角溝に嵌まる内側部分２５ｂを有するリングの場合）、それが嵌められるプランジャの溝は角溝であればよい。従来のプランジャの中には、Ｏリング２３を嵌めるための角溝が予め形成されたものも多く、本実施形態のようなかまぼこ型の弾性リング２５は、このような従来のプランジャに取り付けて使用することができる点でも有利である。
【００２１】
なお、本発明は上記に限定されるものではなく、プランジャとロッドで構成されるピストン部材がシリンダに挿入された一般的なシリンジにも応用することができる。また、必要に応じて、弾性リング２５を複数設けてもよい。弾性リング２５の材質や、断面形状は、本発明の範囲内で適宜変更可能である。
【図面の簡単な説明】
【００２２】
【図１】本発明の一実施形態のシリンジを示す図である。
【図２】プランジャとシリンダとの間のシールを示す、図１の一部を拡大した図である。
【図３】角溝に弾性リングを嵌めた状態を示す図である。
【図４】角溝に断面円形のＯリングを嵌めた状態を示す図である（従来例）。
【符号の説明】
【００２３】
１  シリンジ
５  シリンダ
１０  プランジャ
１２  係止部
１７  角溝
２３  Ｏリング
２５  弾性リング
３１  隙間
【図１】
2010063713.tif 000003
【図２】
2010063713.tif 000004
【図３】
2010063713.tif 000005
【図４】
2010063713.tif 000006